(57)【要約】【課題】  平面三角形状に形成し、頂部に３個のＬＥＤを正三角形状に形成することにより、すべてのＬＥＤを等間隔に配列することができ、また均一の光源を得ることができ、チャンネル文字や看板用光源として、多用途に使用できるサイン用ＬＥＤ照明具を提供する。【解決手段】  略おむすび型ケース内に、３個のＬＥＤを正三角形状に形設した正三角形状の基板本体を収納してなることを特徴とするサイン用ＬＥＤ照明具。【選択図】図１
0003136147.tif 000002
【実用新案登録請求の範囲】
【請求項１】
略おむすび型ケース内に、３個のＬＥＤを正三角形状に形設した正三角形状の基板本体を収納してなることを特徴とするサイン用ＬＥＤ照明具。
【請求項２】
略おむすび型ケースの３辺中央に、ビス止め孔を穿設したビス止め部を設けると共に、ビス止め部の両側に、隣接する略おむすび型ケースのビス止め部の頂部を当接する凹部を形設してなることを特徴とする請求項１記載のサイン用ＬＥＤ照明具。
【請求項３】
略おむすび型ケースのビス止め部の頂部を左右隣接する略おむすび型ケースの凹部に当接し、固定することにより、左右隣接する略おむすび型ケースにおけるＬＥＤと、正三角形状に形成してなることを特徴とする請求項１又は２記載のサイン用ＬＥＤ照明具。
【請求項４】
略おむすび型ケースのビス止め部の頂部を上下隣接する略おむすび型ケースの外形頂部に当接し、固定することにより、上下隣接する略おむすび型ケースにおけるＬＥＤと、正三角形状に形成してなることを特徴とする請求項１、２又は３記載のサイン用ＬＥＤ照明具。
【請求項５】
ＬＥＤをシリコンで封入してなることを特徴とする請求項１、２、３又は４記載のサイン用ＬＥＤ照明具。
【請求項６】
基板本体を着色してなることを特徴とする請求項１、２、３、４又は５記載のサイン用ＬＥＤ照明具。
【考案の詳細な説明】
【技術分野】
【０００１】  本考案は、ネオンや蛍光灯に代わるチャンネル文字や看板用光源として使用するサイン用ＬＥＤ照明具に関するものである。
【背景技術】
【０００２】  従来の技術としては、基板と、前記基板上に、二次元的に配列された複数の白色ＬＥＤ素子と、前記複数の白色ＬＥＤ素子に電気的に接続された配線回路とを備え、前記配線回路は、２つ以上の互いに独立した配線パターンから構成されており、各配線パターンに電気的に接続された白色ＬＥＤ素子は、離散して配列されている、ＬＥＤ照明光源がある。（特許文献１参照）
【特許文献１】  特開２００５−１００８００号公報
【考案の開示】
【考案が解決しようとする課題】
【０００３】  上記従来技術は、１枚の基板に複数のＬＥＤを取り付けてなるものであり、本考案のような、平面正三角形の基板本体の頂部３箇所に正三角形になるようにＬＥＤを配置したものではないので、ＬＥＤの間隔が等間隔にならないものである。【０００４】  本考案は、このような従来の構成が有していた問題を解決しようとするもので、平面三角形状に形成し、頂部に３個のＬＥＤを正三角形状に形成することにより、すべてのＬＥＤを等間隔に配列することができ、また均一の光源を得ることができ、チャンネル文字や看板用光源として、多用途に使用できるサイン用ＬＥＤ照明具を提供するものである。
【課題を解決するための手段】
【０００５】  本考案は、上記の目的を達成する手段として、略おむすび型ケース内に、３個のＬＥＤを正三角形状に形設した正三角形状の基板本体を収納してなる。
略おむすび型ケースの３辺中央に、ビス止め孔を穿設したビス止め部を設けると共に、ビス止め部の両側に、隣接する略おむすび型ケースのビス止め部の頂部を当接する凹部を形設してなる。
略おむすび型ケースのビス止め部の頂部を左右隣接する略おむすび型ケースの凹部に当接し、固定することにより、左右隣接する略おむすび型ケースにおけるＬＥＤと、正三角形状に形成してなる。
略おむすび型ケースのビス止め部の頂部を上下隣接する略おむすび型ケースの外形頂部に当接し、固定することにより、上下隣接する略おむすび型ケースにおけるＬＥＤと、正三角形状に形成してなる。
ＬＥＤをシリコンで封入してなる。
基板本体を着色してなることを特徴とする。
【考案の効果】
【０００６】１）、正三角形状に形成した基板本体の頂部に、３個のＬＥＤを形成することにより、３個のＬＥＤ間の距離を等間隔に配置することができる。また、略おむすび型ケースが正三角形の基板本体を適切な位置に配置する治具の役割も兼ねている。
２）、略おむすび型ケースのビス止め部の頂部を左右隣接する略おむすび型ケースの凹部に当接し、固定することにより、左右隣接する略おむすび型ケースにおけるＬＥＤと正三角形状に形成することができる。
３）、略おむすび型ケースのビス止め部の頂部を上下隣接する略おむすび型ケースの凹部に当接し、固定することにより、上下隣接する略おむすび型ケースにおけるＬＥＤと正三角形状に形成することができる。
４）、光源が同一化することにより近くからでも遠くからでも均一な光を得ることができる。
５）、ＬＥＤをシリコンで封入することにより、屋外でも使用することができる。
６）、ケースの両面テープにより取り付けてもよく、ビス止め孔よりビス止めすることができ、どちらを選択してもよい。
７）、基板本体を着色することにより、昼と夜の変化を楽しむことができる。
【考案を実施するための最良の形態】
【０００７】  サイン用ＬＥＤ照明具１は、合成樹脂製による平面三角形状に形成してなる基板本体２の上面頂部３箇所にＬＥＤ３（例えば、明るさ約２０００ｍｃｄ、視野角１０５°）を正三角形状に形設すると共に、基板本体２を収納する３辺４ａの中央に、ビス止め孔４ｂ１を穿設したビス止め部４ｂを設けると共に、ビス止め部４ｂの両側に、ビス止め部４ｂの頂部４ｂ２を当接する凹４ｃを形設してなるおむすび型ケース４を設けてある。【０００８】  なお、Ｄは電源であり、必要に応じてケース４の裏面に両面テープを設ける。（図示せず）
また、必要に応じて基板本体２とＬＥＤ３…をシリコンで封入することにより屋外仕様となる。（図示せず）
さらに、一例として、ケース４の外形寸法は厚み６ｍｍ前後、外形寸法は３５ｍｍ前後とする。【０００９】  上記サイン用ＬＥＤ照明具１の使用例としては、主としてチャンネル文字や看板用の光源として使用する場合、まず、左右方向に使用するとき、まず、各々のサイン用ＬＥＤ照明具１の略おむすび型ケース４の凹４ｃ…に、ビス止め部４ｂ…の頂部４ｂ２…を当接し、各ビス止め孔４ｂ１にビス（図示せず）にて固定する。
このとき、ＬＥＤ３・３ａ・３ｂにて正三角形Ｓを形成することができる。
また、上段及び下段の各サイン用ＬＥＤ照明具１の外形頂部４ｄとビス止め部４ｂの頂部４ｂ２を交互に当接させ、固定することにより、上段と下段の各ＬＥＤ３ａ・３ｂ・３ｃにて正三角形Ｓ１を形設することができる。よって、上下左右の各ＬＥＤを正三角形に形成できるものである。
【図面の簡単な説明】
【００１０】
【図１】  本考案の一実施例を示すサイン用ＬＥＤ照明具の斜視図。
【図２】  本考案の一実施例を示すサイン用ＬＥＤ照明具の平面図。
【図３】  本考案の一実施例を示すサイン用ＬＥＤ照明具の使用状態図。
【符号の説明】
【００１１】１−−−−サイン用ＬＥＤ照明具
２−−−−基板本体
３−−−−ＬＥＤ
４−−−−略おむすび型ケース
４ａ−−−３辺
４ｂ−−−ビス止め部
４ｂ１−−ビス止め孔
４ｂ２−−頂部
４ｃ−−−凹
Ｄ−−−−電源
Ｓ−−−−正三角形
【図１】
0003136147.tif 000003
【図２】
0003136147.tif 000004
【図３】
0003136147.tif 000005